(57)【特許請求の範囲】
【請求項１】
作業機により基端部が昇降可能に支持されると共に周壁に砂、礫又は骨材と固化材等の補給材を投入するための開口部が周方向及び軸方向に適宜間隔で複数形成された円筒状のケーシングと、該ケーシング内の軸心に沿って挿通されケーシングの基端部に設けられた回転駆動部により正回転又は逆回転される回転軸と、該回転軸の先端部に設けられ正回転により地盤を掘削してその掘削土砂を孔壁側に圧密した圧密孔を造成し、逆回転により前記ケーシング内の補給材を前記圧密孔の孔底側に圧密して柱状基礎体を造成するスクリュー部と、前記ケーシングの上端部に設けられ、前記圧密孔の造成時に前記ケーシングと前記回転軸を連結して共に正回転させ、前記柱状基礎体の造成時に前記ケーシングと前記回転軸の連結を解除して前記ケーシングの回転を孔壁との摩擦抵抗で阻止すると共に前記回転軸のみを逆回転させるためのクラッチ機構とを備えた地盤圧密装置であって、
前記クラッチ機構は、前記ケーシングの上端部の下面に近接して前記回転軸に設けられた回転板と、前記ケーシングの上端部を貫通して前記回転板に形成された孔部に嵌合され、前記回転軸の回転を阻止するロックピンと、該ロックピンを前記孔部に嵌合させ又は前記孔部から離脱させる操作レバーと、を有し、
前記操作レバーは、前記ケーシングの上端部に回動可能に軸支されており、該操作レバーが回動操作されると、前記ロックピンが前記ケーシングの軸方向に昇降されて前記孔部に嵌合され又は前記孔部から離脱され、
前記操作レバーの先端部は、前記ケーシングの上端部よりも該ケーシングの径方向外側に突出しており、この先端部に、該操作レバーを回動操作するための操作棒の先端の係止部を係止させるフック部が形成されていることを特徴とする地盤圧密装置。
【請求項２】
前記圧密孔の造成時に、前記ケーシング内を前記補給材で満たして擬似的無孔ケーシングとし、ケーシング、回転軸、スクリュー部及び補給材を一体で回転させて地盤に圧入する請求項１記載の地盤圧密装置。
【発明の詳細な説明】
【技術分野】
【０００１】
本発明は、軟弱地盤を柱状に圧密改良する地盤圧密装置に係り、特に圧密性能の更なる向上を図った地盤圧密装置に関するものである。
【背景技術】
【０００２】
軟弱地盤を圧密する方法の一つとして、掘削用アースオーガを基にした柱状圧密工法（砂杭工法ともいう）が知られている。この工法は、アースオーガにより地盤を所要深さまで掘削してから、アースオーガの逆回転により先に掘り上げた地盤土に山砂等を加えた土砂を掘削孔の孔底に送り込んで圧密し、作業機側から与えた荷重に圧密反力が抗して徐々にアースオーガが掘削孔から押し上げられることにより地盤中に柱状の圧密基礎（柱状基礎体、砂杭ともいう。）を造成するものである。
【０００３】
しかしながら、前記工法においては、アースオーガの逆回転により土砂をアースオーガの長手方向に沿って送り込むが、アースオーガの螺旋翼の取付角度上、圧力の鉛直方向への成分が高くなるため、土質によっては、土砂が横方向（掘削孔の径方向外方）へはそれほど広がらず、土砂が鉛直方向に直ぐに締め固まって圧密反力を生じてしまい、横方向に十分な広がりを持つ柱状基礎体を造成することが難しい。
【０００４】
また、前記工法においては、アースオーガを押し上げようとする圧密反力に抗する荷重で圧密の度合に差が生じるため、十分な荷重を作業機側から与える必要があり、例えば機体荷重については、１０トン程度が必要であり、このため、都市部の狭い住宅地の事情に合わせて小型の機械を開発しようとする場合の制約となっている。
【０００５】
かかる問題を解決するために、本発明者は横方向に広がりを持つ十分な強度の柱状基礎体を容易に造成することができる地盤圧密装置を先に提案した（特許文献１参照）。この地盤圧密装置は、作業機により基端部が昇降可能に支持され、基端部に回転駆動部を有する回転軸と、該回転軸に沿って掘削土砂等の土砂を搬送するように回転軸に設けられた搬送部（螺旋翼）と、回転軸の先端部に設けられ、正回転により地盤の掘削が可能で、且つ逆回転により前記搬送部からの土砂を掘削孔の径方向外方へ押し込んで圧密する断面円弧状の少なくとも二つのカム面を有する所定形状の圧密カムとを備えている。
【０００６】
しかしながら、前記地盤圧密装置においては、地盤を掘削しながらその掘削土砂を螺旋翼により地上に搬出し、所要深さまで掘削したら、砂杭造成用の純粋な砂（例えば山砂）のみを圧密カムまで送り込んで高強度の砂杭を造成しようとする場合、螺旋翼により純粋な砂だけでなく孔壁の土をも送り込んでしまい、砂と土の混ざった砂杭が造成されてしまうため、地質によっては高強度の柱状圧密基礎には適さない場合がある。なお、この対策としては、回転軸の周囲を取り囲むように円筒状のケーシングを設け、該ケーシングにより純粋な砂のみを圧密カムまで送り込むようにした発明も本発明者により提案されているが、この場合、ケーシングの外周面が孔壁と面接触となるため孔壁に張り付いて摩擦抵抗が増大し、地盤を掘り進むのに大きな抵抗となることが考えられる。
【０００７】
また、純粋な砂のみの砂杭を造成する場合、地上に搬出した掘削土砂の処理が必要となる。更に、砂を送り込んで圧密カムにより圧密して行く場合、孔壁が圧密されていないため、砂が掘削孔の径方向外方へ止め処もなく押し込まれ、多量の砂が必要となる場合があることが考えられる。また、前記ケーシングの上端部には砂を供給するためのホッパーが設けられるが、そのホッパーに対してバケットクレーン等の重機により砂を供給する必要があり、作業が大変である。
【先行技術文献】
【特許文献】
【０００８】
【特許文献１】特許第３２５９９１０号公報
【発明の概要】
【発明が解決しようとする課題】
【０００９】
本発明は、前記事情を考慮してなされたものであり、掘削時に回転軸とケーシングを共回りさせることにより、掘削土砂を地上に搬出することなく径方向外方に押し込んで孔壁を圧密することができ、砂、礫又は骨材と固化材等の補給材を孔内に押し込む時には回転軸のみを回転させることにより、補給材を孔底に送り込んで柱状基礎体を容易に造成することができる地盤圧密装置を提供することを目的とする。
【課題を解決するための手段】
【００１０】
前記目的を達成するために、本発明は、作業機により基端部が昇降可能に支持されると共に周壁に砂、礫又は骨材と固化材等の補給材を投入するための開口部が周方向及び軸方向に適宜間隔で複数形成された円筒状のケーシングと、該ケーシング内の軸心に沿って挿通されケーシングの基端部に設けられた回転駆動部により正回転又は逆回転される回転軸と、該回転軸の先端部に設けられ正回転により地盤を掘削してその掘削土砂を孔壁側に圧密した圧密孔を造成し、逆回転により前記ケーシング内の補給材を前記圧密孔の孔底側に圧密して柱状基礎体を造成するスクリュー部と、前記ケーシングの上端部に設けられ、前記圧密孔の造成時に前記ケーシングと前記回転軸を連結して共に正回転させ、前記柱状基礎体の造成時に前記ケーシングと前記回転軸の連結を解除して前記ケーシングの回転を孔壁との摩擦抵抗で阻止すると共に前記回転軸のみを逆回転させるためのクラッチ機構とを備えたことを特徴としている。
【００１１】
前記圧密孔の造成時に、前記ケーシング内を前記補給材で満たして擬似的無孔ケーシングとし、ケーシング、回転軸、スクリュー部及び補給材を一体で回転させて地盤に圧入することが好ましい。
【００１２】
前記クラッチ機構は、前記ケーシングの上端部の下面に近接して前記回転軸に設けられた回転板と、前記ケーシングの上端部を貫通して前記回転板に形成された孔部に嵌合され、前記回転軸の回転を阻止するロックピンと、該ロックピンを前記孔部に嵌合させ又は前記孔部から離脱させる操作部とを有することが好ましい。
【００１３】
前記操作部は、操作レバーを有し、該操作レバーには操作棒の先端の係止部を係止するフック部が形成されていることが好ましい。
【発明の効果】
【００１４】
本発明によれば、掘削時に回転軸とケーシングを共回りさせることにより、掘削土砂を地上に搬出することなく径方向外方に押し込んで孔壁を圧密することができ、砂、礫又は骨材と固化材等の補給材を孔内に押し込む時には回転軸のみを回転させることにより、補給材を孔底に送り込んで柱状基礎体を容易に造成することができる。
【図面の簡単な説明】
【００１５】
【図１】本発明の実施形態に係る地盤圧密装置の地盤掘削時の状態を概略的に示すである。
【図２】本発明の実施形態に係る地盤圧密装置の柱状基礎体造成時の状態を概略的に示すである。
【図３】（ａ）はスクリュー部の平面図、（ｂ）は（ａ）のＸ−Ｘ矢示側面図ある。
【図４】クラッチ機構を示す部分的断面図で、（ａ）は解除状態の図、（ｂ）は係合状態の図である。
【図５】ホッパーの一例を示す平面図である。
【図６】地盤圧密装置による作業を説明する図で、（ａ）は地盤掘削作業時の図、（ｂ）は地盤掘削作業終了時の図、（ｃ）は地盤圧密作業時の図、（ｄ）は地盤圧密作業終了時の図である。
【発明を実施するための形態】
【００１６】
以下に、本発明を実施するための形態を添付図面に基いて詳述する。
【００１７】
図１、図２に示すように、本実施形態の地盤圧密装置１は、作業機２〔図６（ａ）参照〕により上端部が昇降可能に支持される鉛直方向に長い筒状のケーシング３を備える。ケーシング３は、例えば円筒状の鋼管からなる。ケーシング３の長さは、造成すべき柱状基礎体１８にもよるが、例えば５〜８ｍとされ、ケーシング３の直径は３００〜５００ｍｍとされる。ケーシング３の上端部（基端部）は端板３ａをボルト止めにより着脱可能に取付けて閉塞され、ケーシング３の下端部（先端部）は開口端とされる。
【００１８】
ケーシング３の周壁には、ケーシング３内に砂、礫又は骨材と固化材等の補給材４を地盤Ｇの高さ位置で供給（投入）することが可能な開口部５が周方向及び軸方向に適宜間隔で複数形成される。補給材４としては、複数種類のものを組み合わせて使用することを含めて多種多様なものを利用することが可能であり、地盤圧密装置１で流動可能な骨材と各種固化材（セメント等）などにより必要な強度の柱状基礎体１８を造成することが可能である。
【００１９】
ケーシング３の強度を確保するために、隣り合う開口部５がケーシング３の軸方向に揃うことのないように周方向に位置をずらして配置されることが好ましい。例えば開口部５は、図示例のように亀甲状のものを千鳥に配したいわゆるハニカム状に形成される。このように形成することで、ケーシング３の強度の向上と補給材４の円滑な投入が可能となる。なお、開口部５は図６に示すように四角形であってもよく、或いは三角形や円形、楕円形等であってもよい。
【００２０】
また、ケーシング３の下端側外周面には後述するスクリュー部６の駆動による掘削時における掘削土砂の開口部５からケーシング３内への流入及び循環を防止するために所定の範囲例えばＷ＝１ｍで開口部５を有しない無孔部７が形成されていることが好ましい。
【００２１】
ケーシング３内には軸心に沿って回転軸８が挿通され、ケーシング３の上端部の端板３ａ上方には回転軸８を正回転又は逆回転するための回転方向の切替えが可能な回転駆動部９が設けられている。この回転駆動部９は、例えばギヤ付きの油圧モータからなる。
【００２２】
回転駆動部９の上部には、作業機２の昇降用のフック１０に係止されて地盤圧密装置１を吊り下げるための被係止部１１が設けられる。回転軸８はケーシング３の端板３ａを緩く貫通しており、ケーシング３内の回転軸８には後述の回転板２０が取付けられている。作業機２により回転駆動部９を吊り上げると、回転板２０がケーシング３のフランジ部３ｂの下面に当接してケーシング３を吊り上げることができる。
【００２３】
作業機２は、図６（ａ）に示すように、地面に垂直に立てて保持されるリード部１２を有し、このリード部１２には昇降用のフック１０を図示しない無端チェーンを介して昇降操作する昇降回転駆動部（図示省略）が設けられる。なお、作業機２としては、地盤圧密装置１の吊り上げ及び下方への押し込みが可能であれば、例えば電柱埋設用のトラッククレーンであってもよい。
【００２４】
回転軸８の下端部は、ケーシング３の下端部から突出しており、その回転軸８の下端部には正回転により地盤Ｇを掘削し、その掘削土砂を孔壁１３ａ側に圧密した圧密孔１３を造成し、逆回転によりケーシング３内の補給材４を圧密孔１３の孔底１３ｂ側及び径方向外方へ押し込んで圧密し、柱状基礎体１８を造成するための圧密部であるスクリュー部６が設けられる。このスクリュー部６は、本実施形態では二枚の半円板状の羽根部材１４，１５からなり、回転軸８に対して二枚の羽根部材１４，１５が側方から見てＸ状に交差するように設けられていると共に、上方から見て互いに反対側の下端部１４ｂ，１５ｂがケーシング３よりも外方に突出するように設けられていることが好ましい〔図１、図３（ａ）参照〕。
【００２５】
ケーシング３内から補給材４を搬出しやすくするために、羽根部材１４，１５の上端縁部１４ａ，１５ａがケーシング３内に挿入された状態で設けられていたり、或いは回転軸８における無孔部７と対応する部分に少なくとも一条の螺旋翼１６が設けられていることが好ましい。また、ホッパー１７から開口部５を通ってケーシング３内に投入された補給材４を下方に円滑に搬送するために、回転軸８には複数の螺旋翼１６が所定間隔で間欠的に設けられているか、或いは連続的に設けられていることが好ましい。回転軸８の下端部の先端は鋭角に突出した尖鋭部８ａとされる。
【００２６】
ケーシング３の周囲の地盤Ｇ上には、図２に示すように補給材４を開口部５からケーシング３内に投入するためのホッパー１７が設置される。本実施例のホッパー１７は、例えば図２又は図５に示すように底部と上部が開口し、上方に向って広がった平面半円環状に形成される。
【００２７】
掘削時にホッパー１７により補給材４を開口部５から地盤Ｇ下のケーシング３内に容易に投入・充填することが可能となる。ケーシング３内に補給材４が充填されると、地盤Ｇ下のケーシング３の開口部５が補給材４で塞がれ、孔壁１３ａの掘削土砂がケーシング３内に入り込むのを阻止すると共に、ケーシング３の表面が孔壁１３ａに密着して掘り進む際の摩擦抵抗となるのを軽減する。
【００２８】
ケーシング３の上端部には、圧密孔１３の造成時にケーシング３と回転軸８を連結して共に正回転（共回り）させ、柱状基礎体１８の造成時にケーシング３と回転軸８の連結を解除してケーシング３の回転を孔壁１３ａとの摩擦抵抗で阻止させると共に回転軸８のみを逆回転させるためのクラッチ機構１９が設けられる。
【００２９】
クラッチ機構１９は、図４（ａ），（ｂ）に示すようにケーシング３の上端部である端板３ａの下面に近接して回転軸８に設けられた回転板２０と、ケーシング３の上端部である端板３ａを貫通して回転板２０に形成された孔部２１に嵌合され、回転板２０を介して回転軸８の回転を阻止するロックピン２２と、ロックピン２２を孔部２１に嵌合させ又は孔部２１から離脱させる操作部である操作レバー２３とを有する。孔部２１はロックピン２２が嵌合しやすいように周方向に長尺の円弧状スリットとして形成されていることが好ましい。なお、ケーシング３の上端には内向きフランジ部３ｂが設けられ、この内向きフランジ部３ｂに端板３ａがボルト止めされる。
【００３０】
操作レバー２３は、水平方向に延出されており、操作レバー２３の基端部がケーシング３の上端部の端板３ａ上に立設したブラケット軸受２４に上下方向に回動操作可能に軸支される。操作レバー２３の長手方向中間部にはロックピン２２の上端部が軸支され、ケーシング３の上端のフランジ部３ｂ及び端板３ａにはロックピン２２を垂直に挿通するガイド孔２５が形成される。
【００３１】
端板３ａ上にはロックピン２２を回転板２０の孔部２１に挿入したロック位置と、孔部２１から離脱した解除位置の何れかに操作レバー２３を保持するための位置決め保持部２６が設けられる。位置決め保持部２６は、部分的に拡大して示すように、例えば位置決め保持枠２７における上下二つの位置決め保持位置にバネ２８を介して保持された球体（例えば鋼球）２９と、操作レバー２３の一側面に形成され、球体２９が係合する凹部３０とから主に構成される。
【００３２】
操作レバー２３は、例えば図６の（ｄ）に示すように柱状基礎体１８の造成後や図６の（ａ）に示すように地盤の掘削を開始する前に、クラッチ機構１９をロック位置に操作すべく下方に回動操作され、図６の（ｂ）に示すように地盤の掘削終了後に、クラッチ機構１９をロック解除位置に操作すべく上方に回動操作される。地盤Ｇの掘削終了後は、操作レバー２３が地盤Ｇから近い位置、すなわち作業者が直接操作し得る高さにあるのに対し、柱状基礎体１８の造成後や地盤Ｇの掘削を開始する前は、操作レバー２３が地盤Ｇから遠い位置、すなわち作業者が直接操作し得ない高さにあるため、遠隔操作用の操作棒３１を用いる。操作棒３１は、シャッター棒と同様に先端部に引っ掛け部３１ａを有し、操作レバー２３の先端部には操作棒３１の先端部の引っ掛け部３１ａを引っ掛けるためのフック部３２が形成される。
【００３３】
次に、以上の構成からなる地盤圧密装置１の作用を述べる。先ず、図６（ａ）に示すように地盤圧密をすべき地盤Ｇ上に作業機２により地盤圧密装置１を垂直に立てて回転駆動部９により回転軸８の下端部のスクリュー部６をケーシング３と共に掘削方向に正回転させる。そして、作業機２のリード部１２の昇降回転駆動部により地盤圧密装置１に下向きの荷重を加えることにより、地盤Ｇを掘削していく。
【００３４】
この掘削工程では、図４の（ｂ）又は図６の（ｄ）に示すように予めクラッチ機構１９の操作レバー２３を操作棒３１にて下方に引き、ロックピン２２を回転板２０の孔部２１に嵌合させてロック状態にしておくことにより、回転軸８とケーシング３が共回りし、スクリュー部６を構成する羽根部材１４，１５により地盤Ｇを掘削することができる。回転軸８の先端のスクリュー部６とケーシング３とが共回りするため、共回りしない場合と異なり、掘削した土砂（地盤土）がケーシング３内に流入しにくく、土砂は図１の点線矢印Ｅで示すようにケーシング３内へ流入することなく接線方向ないし径方向外方に押し遣られ、これにより掘削孔（圧密孔）１３の孔壁１３ａを掘削土砂によって圧密することができる。
【００３５】
この掘削工程である圧密孔１３の造成時には、図６の（ａ）に示すように、地盤Ｇ上にホッパー１７を設置して補給材４をケーシング３の孔部５からケーシング３内に供給し、ケーシング内を補給材４で満たして擬似的無孔ケーシングとし、ケーシング３、回転軸８、スクリュー部６及び補給材４を一体で回転させて地盤に圧入することが好ましい。このようにして、地盤Ｇを所定の掘削深度まで掘削したなら、図６の（ｂ）ないし図４の（ａ）に示すように、クラッチ機構１９の操作レバー２３を上方に引き上げてロックピン２２を回転板２０の孔部２１から引き抜き、回転駆動部９の回転方向を切り換えて図６の（ｃ）に示すように回転軸８を逆回転させることにより、スクリュー部６の羽根部材１４，１５によりケーシング３内の補給材４が孔底１３ｂ側（下方向）及び接線方向ないし径方向外方へ供給・押し込まれて圧密され、柱状基礎体１８が造成される。
【００３６】
これにより孔底１３ｂから上方に向かって順次柱状基礎体１８が造成されていき、この柱状基礎体１８の造成に伴いその反力で地盤圧密装置１が上昇していく。この上昇に伴いケーシング３内の補給材４も減少するため、ホッパー１７に順次補給材４を供給し、地盤Ｇ下のケーシング３内に常時補給材４が充填されるようにしておく。このようにして図６の（ｄ）に示すように柱状基礎体１８を孔口まで造成することによりその造成が完成する。
【００３７】
この柱状基礎体１８の造成工程においては、掘削（削孔）工程で予め掘削孔（圧密孔）１３の孔壁１３ａが掘削土砂を用いて圧密されているため、補給材４が必要以上に径方向外方に押し込まれる恐れがなく、補給材４の使用量を節減することができる。また、掘削土砂を孔壁１３ａの圧密に利用し、地上に搬出しないので、掘削土砂の処理を要しない。また、補給材４に地盤の土砂が混ざったり、或いは掘削土砂を混ぜたりすることなく純粋な補給材４のみで柱状基礎体１８を造成することができるため、強度の高い柱状基礎体１８を容易に造成することができる。
【００３８】
スクリュー部６の羽根部材１４，１５は、孔底１３ｂ側から圧密反力を受けるが、孔壁１３ａ側（掘削孔の径方向）からもより多くの圧密反力を受けるため、アースオーガ式の従来工法のように地盤圧密装置１が不本意に押し上げられることはない。このため、圧密反力に抗する荷重を地盤圧密装置１に加える必要がなく、従って、作業機２の大型化を余儀なくされることがなく、作業機２の小型化が図れる。圧密の度合は回転駆動部９にかかるトルク等によって推察することができ、所望の圧密度を維持しながら地盤圧密装置１を徐々に引き上げて行くことにより、柱状基礎体１８を造成することができる。
【００３９】
このように、地盤圧密装置１によれば、作業機２により基端部が昇降可能に支持されると共に周壁に砂、礫又は骨材と固化材等の補給材４を投入するための開口部５が周方向及び軸方向に適宜間隔で複数形成された円筒状のケーシング３と、ケーシング３内の軸心に沿って挿通されケーシング３の基端部に設けられた回転駆動部９により正回転又は逆回転される回転軸８と、回転軸８の先端部に設けられ正回転により地盤Ｇを掘削してその掘削土砂を孔壁１３ａ側に圧密した圧密孔１３を造成し、逆回転によりケーシング３内の補給材４を圧密孔１３の孔底１３ｂ側へ押し込んで圧入することにより柱状基礎体１８を造成するスクリュー部６とを備えているため、掘削時に掘削土砂を地上に搬出することなく径方向外方に押し込んで孔壁１３ａを圧密することができると共に砂又は礫の補給材４のみを孔底１３ｂ側及び孔壁１３ａ側に容易に供給できて柱状基礎体１８を容易に造成することができ、構造及び作業の簡素化が図れる。
【００４０】
圧密孔１３の造成時に、ケーシング３内を補給材４で満たして擬似的無孔ケーシングとし、ケーシング３、回転軸８、スクリュー部６及び補給材４を一体で回転させて地盤に圧入するため、地盤を容易に掘削して圧密孔１３を造成することができる。
【００４１】
また、ケーシング３の周囲の地盤Ｇ上には補給材４を地盤Ｇ近くの開口部５からケーシング３内に投入するためのホッパー１７が設置されているため、バケットクレーン等を用いずにホッパー１７に容易に補給材４を供給することができると共に、ホッパー１７内の補給材４の残量を目視により容易に確認することができる。
【００４２】
更に、ケーシング３の下端側外周面には掘削時における掘削土砂のケーシング３内への流入及び循環を阻止するために所定の範囲で開口部５を有しない無孔部７が形成されているため、掘削土砂が開口部５から流入して循環することにより掘削土砂を孔壁１３ａに押し込むことが困難となる事態を防止することができる。
【００４３】
以上、本発明の実施の形態を図面により詳述してきたが、本発明は実施の形態に限定されるものではなく、本発明の要旨を逸脱しない範囲での種々の設計変更が可能である。例えば、ホッパー１７の代わりに、地盤上に鋼板等の板材を置いて補給材４を載せ、その補給材４をスコップ等で掻き寄せながら開口部５からケーシング３内に投入するようにしてもよい。
【００４４】
また、掘削土砂がケーシング３内に侵入してケーシングの内壁に固着し、螺旋翼の回転に支障を来す不具合を抑制するために、ケーシングは角筒状に形成されていてもよい。螺旋翼１６は回転軸８の長手方向に沿って連続して設けられていてもよい。これにより、ホッパー１７から開口部５を介してケーシング３内に投入される補給材４を下方に円滑に搬送することができる。
【００４５】
クラッチ機構１９は、回転軸８に設けられた回転板２０とケーシング３の端板３ａとの間に設けられるワンウエイクラッチからなっていてもよい。操作レバー２３は電動部により遠隔操作されるようになっていてもよい。
【００４６】
砂杭造成圧入時に螺旋翼１６を有する回転軸８とケーシング３との間に補給材を媒介として生じる摩擦力よりも大きな摩擦力をケーシング３と地盤Ｇとの間に確保するために、ケーシング３の外側には先端部より長手方向に所定範囲でフラットバー等の摩擦抵抗部材４０が設けられていることが好ましい（図２参照）。
【符号の説明】
【００４７】
１  地盤圧密装置
２  作業機
３  ケーシング
３ａ  端板
３ｂ  フランジ部
４  補給材
５  開口部
６  スクリュー部
７  無孔部
８  回転軸
８ａ  尖鋭部
９  回転駆動部
１０  フック
１１  被係止部
１２  リード部
１３  圧密孔
１３ａ  孔壁
１３ｂ  孔底
１４，１５  羽根部材
１６  螺旋翼
１７  ホッパー
１８  柱状基礎体
１９  クラッチ機構
２０  回転板
２１  孔部
２２  ロックピン
２３  操作レバー（操作部）
２４  ブラケット軸受
２５  ガイド孔
２６  位置決め操作部
２７  保持枠
２８  バネ
２９  球体
３０  凹部
３１  操作棒
３１ａ  引っ掛け部
３２  フック部
４０  摩擦抵抗部材
【図１】
0005535279.tif 000002
【図２】
0005535279.tif 000003
【図３】
0005535279.tif 000004
【図４】
0005535279.tif 000005
【図５】
0005535279.tif 000006
【図６】
0005535279.tif 000007